(57)【要約】【課題】種類を確実に認識して識別することができ、また食器類本体の下面の正確な位置にデータキャリアを取り付けることができる食器類を提供する。【解決手段】食器類の本体１を合成樹脂で成形する際に食器類の本体１の下面に環状の囲い壁３６を設けて、囲い壁３６の内周に下方へ開口する収納用凹所１２を形成する。囲い壁３６の内周の上縁に係合凹所１４を凹設する。囲い壁３６の内周に一対の連通溝３７を設けて、係合凹所１４を一対の連通溝３７によって囲い壁３６の下面に開口させる。データキャリア２の表面に被覆して設けた樹脂被覆層３０の２箇所に係合突部１５を突設する。これらの係合突部１５を連通溝３７に通して収納用凹所１２内にデータキャリア２をはめ込む。連通溝３７を通って係合突部１５が係合凹所１４に入った状態で、データキャリア２を係合凹所１４に沿って水平に回すことによって、係合突部１５を係合凹所１４に係合させる。【選択図】図１
2005103313.tif 000002
【特許請求の範囲】
【請求項１】
食器あるいは食器を保持する保持具のような合成樹脂製の食器類において、食器類の本体を合成樹脂で成形する際に食器類の本体の下面に環状の囲い壁を設けることによって、囲い壁の内周に下方へ開口する収納用凹所を形成し、囲い壁の内周の上縁に係合凹所を凹設すると共に、囲い壁の内周に一対の連通溝を設けることによって、係合凹所を一対の連通溝によって囲い壁の下面に開口させ、データキャリアの表面に被覆して設けた樹脂被覆層の２箇所に係合突部を突設し、これらの係合突部を連通溝に通して収納用凹所内にデータキャリアをはめ込むと共に、連通溝を通って係合突部が係合凹所に入った状態で、データキャリアを係合凹所に沿って水平に回すことによって、係合突部を係合凹所に係合させて成ることを特徴とする食器類。
【発明の詳細な説明】
【技術分野】
【０００１】
本発明は、食堂において使用される食器類に関するものである。
【背景技術】
【０００２】
食堂、なかでも例えば社員食堂や学校の食堂など大量に食器類を使用する施設においては、使用後の食器類は自動洗い器で洗浄され、その後、食器類を種類毎に仕分けして収納し、次の使用に備えるようにしたシステムが採用されている。このように食器類を種類毎に仕分けて同じ種類の食器類を同じ場所に収納するには、同じ種類の食器類をまとめて洗浄してそのまま同じ種類の食器類をまとめて収納するか、あるいは、光学的画像認識装置を用いて食器類をその形状から区別し、食器類を種類毎に仕分けて収納するか、いずれかがおこなわれている。
【発明の開示】
【発明が解決しようとする課題】
【０００３】
しかし、前者の方法では、同じ種類の食器類をまとめてから洗浄する必要があるために、食事が済んだ人の分の食器類から順次洗浄するということができず、食器類の一時滞留場所が必要になるという問題がある。後者の方法では、このような問題がなく、前者の方法よりも進んでいるといえる。しかし後者の方法にあっても、食器類が少しでも重なると食器類の形状を認識することができなくなり、食器類を正確に認識することが難しいという問題があった。
【０００４】
本発明は上記の点に鑑みてなされたものであり、種類を確実に認識して識別することができ、また食器類本体の下面の正確な位置にデータキャリアを取り付けることができる食器類を提供することを目的とするものである。
【課題を解決するための手段】
【０００５】
請求項１に係る発明は、食器あるいは食器を保持する保持具のような合成樹脂製の食器類において、食器類の本体１を合成樹脂で成形する際に食器類の本体１の下面に環状の囲い壁３６を設けることによって、囲い壁３６の内周に下方へ開口する収納用凹所１２を形成し、囲い壁３６の内周の上縁に係合凹所１４を凹設すると共に、囲い壁３６の内周に一対の連通溝３７を設けることによって、係合凹所１４を一対の連通溝３７によって囲い壁３６の下面に開口させ、データキャリア２の表面に被覆して設けた樹脂被覆層３０の２箇所に係合突部１５を突設し、これらの係合突部１５を連通溝３７に通して収納用凹所１２内にデータキャリア２をはめ込むと共に、連通溝３７を通って係合突部１５が係合凹所１４に入った状態で、データキャリア２を係合凹所１４に沿って水平に回すことによって、係合突部１５を係合凹所１４に係合させて成ることを特徴とするものである。
【０００６】
食器類本体１に設けたデータキャリア２は質問器からの信号に応答して信号を発信し、蓄積されたデータを非接触の質問器で読み取ることができるものであり、食器類を搬送する過程で質問器の上に置くか通過させるだけでその種類を識別することができ、同じ種類の食器類毎に仕分けて収納することが容易になるものであり、またデータキャリア２のデータに食器類に応じた金額を蓄積させておくと、トレーに乗せたまま料金の精算をおこなうことが可能になって、各人が食器類を乗せたトレーを質問器の上に置くだけで料金の精算をすることができて会計カウンターを省人化することも可能になる。
【０００７】
このデータキャリア２は、食器類の本体１を合成樹脂で成形する際に食器類の本体１の下面に形成した収納用凹所１２に取り付けてあるために、データキャリア２が食器類本体１の下面から大きく突出するようなことなく取り付けを行なうことができる。
【発明の効果】
【０００８】
請求項１の発明は、食器あるいは食器を保持する保持具のような合成樹脂製の食器類において、食器類の本体を合成樹脂で成形する際に食器類の本体の下面に環状の囲い壁を設けることによって、囲い壁の内周に下方へ開口する収納用凹所を形成し、囲い壁の内周の上縁に係合凹所を凹設すると共に、囲い壁の内周に一対の連通溝を設けることによって、係合凹所を一対の連通溝によって囲い壁の下面に開口させ、データキャリアの表面に被覆して設けた樹脂被覆層の２箇所に係合突部を突設し、これらの係合突部を連通溝に通して収納用凹所内にデータキャリアをはめ込むと共に、連通溝を通って係合突部が係合凹所に入った状態で、データキャリアを係合凹所に沿って水平に回すことによって、係合突部を係合凹所に係合させるようにしたので、食器類本体に設けたデータキャリアは質問器からの信号に応答して信号を発信し、蓄積されたデータを非接触の質問器で読み取ることができるものであり、食器類の種類を確実に認識して識別することができるものである。またデータキャリアを収納用凹所に位置決めして取り付けることができ、食器類の本体の下面の正確な位置にデータキャリアを取り付けることができるものである。しかも係合凹所に対する係合突部の係合でデータキャリアを収納用凹所内に取り付けることができ、データキャリアを取り付けるにあたって接着剤を用いる必要がなくなり、接着剤で食器類本体の下面を汚すようなこともなくなるものである。
【発明を実施するための最良の形態】
【０００９】
以下本発明を実施例によって詳述する。
【００１０】
本発明において食器類としては、碗やコップ、皿など、御飯やパン等の主食や、惣菜等の副食や、ジュースやコーヒー、紅茶等の飲料物を盛ったり入れたりする食器、あるいは食器を乗せて保持するコースターや食器をはめ込んで保持するはかまなどの保持具を用いることができる。要するに本発明では食器あるいは食器を保持する保持具を総称して食器類というものであり、テーブルウェアーと称することもできる。そして本発明にあって、これらの食器類はメラミン樹脂やポリエチレンなどの合成樹脂で成形したものが用いられる。
【００１１】
また、データキャリア２は、コンタクトレスＩＤカード、リモートＩＤカード、リモートＩＤタグなど非接触型メモリーカードと称されるものであり、データキャリア２の中にはコイル、コンデンサー、水晶発振器などが組み合わされた情報記憶用の素子が入っており、質問器の指定された番地の情報を読み取ることができると共に質問器から送信される情報を指定メモリー内の番地に書込んで格納されるようになっている。このデータキャリア２としては具体的には特開平２−１９８３８２号公報や特開平４−１１５０８６号公報などで提供されているものや、樹脂積層板を基板として作成されたものなど、薄板状に形成されたものを用いるのが好ましい。またデータキャリア２の形状は、四角形、円形など任意に形成することができるものであり、特に制限されるものではない。
【００１２】
食器類の本体１にデータキャリア２を取り付けるにあたって本発明では、食器類本体１にデータキャリア２を収納するための収納用凹所１２を成形し、収納用凹所１２内にデータキャリア２を取り付けるようにしてあり、以下その実施例について説明する。
【００１３】
図２は参考例を示すものであり、食器類本体１を成形する際に食器類本体１の底面の中央部に収納用凹所１２を設け、データキャリア２を収納用凹所１２内にはめ込んで接着剤で接着することによって、食器類本体１の下面とほぼ面一になるようにデータキャリア２を取り付けるようにしてある。このように収納用凹所１２にはめ込んでデータキャリア２を取り付けるようにすることによって、データキャリア２の位置決めを正確に且つ容易におこなうことができるものである。
【００１４】
図３の参考例では、収納用凹所１２の上底面の中央部に凹陥部３４を設け、この凹陥部３４にはめ込んで収納用凹所１２内にデータキャリア２を接着して取り付けるようにしてあり、さらにデータキャリア２を覆うように収納用凹所１２内に裏蓋１３をはめ込んで接着して取り付けるようにしてある。裏蓋１３の背面にはデータキャリア２が嵌まる凹欠部３５が凹設してある。このように裏蓋１３でデータキャリア２を覆うことによって、データキャリア２が食器類本体１の下面に露出しないようにすることができ、食器を洗浄する際に洗浄剤や水等がデータキャリア２に作用することを防ぐことができるものである。
【００１５】
図４の参考例では、樹脂被覆層３０で被覆したデータキャリア２の上面に凹部１６を設けると共にデータキャリア２の側面を下方へ向け内方に傾斜する傾斜面１７として形成してあり、凹部１６に接着剤１８を塗布してデータキャリア２を収納用凹所１２内にはめ込むことによって、収納用凹所１２内にデータキャリア２を接着して取り付けることができるようにしてある。このものでは接着剤１８はデータキャリア２の上面の凹部１６に溜まっており、接着剤１８が食器類本体１の下面にはみ出すことがなくなるために、接着面の仕上げが不要になるものである。またデータキャリア２の側面に傾斜面１７を設けることによってデータキャリア２の側面と収納用凹所１２の内側面の間に隙間３８ができ、仮に凹部１６から接着剤１８がはみ出しても隙間３８に接着剤１８が納まり、接着剤１８で食器類本体１の下面を汚すようなことを防ぐことができるものである。
【００１６】
図５は、食器類本体１を成形する際に食器類本体１の底面の中央部に環状の囲い壁３６を一体に設けることによって、囲い壁３６の内周に下方へ開口する収納用凹所１２を形成するようにしたものであり、図５（ａ）に示すように囲い壁３６の内周の上縁に係合凹所１４が凹設してある。一方、図５（ｂ）のようにデータキャリア２の表面に被覆して設けた可撓性の樹脂被覆層３０の外周縁に係合突部１５が突設してある。そして図５（ａ）のように収納用凹所１２内にデータキャリア２をはめ込んで係合凹所１４に係合突部１５を圧入させることによって、食器類本体１の下面にデータキャリア２を取り付けるようにしてある。このものでは、係合凹所１４への係合突部１５の圧入によってデータキャリア２を固定することができ、データキャリア２を取り付けるために接着剤を用いる必要がなくなるものである。
【００１７】
図１の実施例では、囲い壁３６の内周に一対の縦の連通溝３７を対向させて設けることによって、図１（ａ）（ｂ）に示すように係合凹所１４を一対の連通溝３７によって囲い壁３６の下面に開口させてある。この係合凹所１４は図１（ｂ）に示すように囲い壁３６の１／４円周の長さで設けてある。一方、図１（ｃ）（ｄ）のようにデータキャリア２の表面に被覆して設けた可撓性の樹脂被覆層３０の外周の２箇所に係合突部１５が突設してある。そしてこのものでは係合突部１５を連通溝３７に通して収納用凹所１２内にデータキャリア２をはめ込み、連通溝３７を通って係合突部１５が係合凹所１４に入った状態で、データキャリア２を９０°の角度で係合凹所１４に沿って水平に回すことによって、係合突部１５を係合凹所１４に係合させて図１（ａ）のように食器類本体１の下面にデータキャリア２を取り付けることができる。このものにあっても、係合凹所１４への係合突部１５の係合によってデータキャリア２を取り付けることができ、データキャリア２を取り付けるために接着剤を用いる必要がなくなるものである。
【００１８】
図６の参考例では、データキャリア２の表面に被覆して設けた可撓性の樹脂被覆層３０の外周縁に図６（ｂ）のように斜め下方へ突出するように係合突部１５が突設してある。そして図６（ａ）のように、収納用凹所１２内にこのデータキャリア２を押し込むことによって、係合突部１５の先端部が収納用凹所１２の内周面に圧接すると共にこの係合突部１５の圧接が抜け止めとなり、収納用凹所１２内にデータキャリア２を固定することができる。このものでは収納用凹所１２内にデータキャリア２を押し込むだけでデータキャリア２を食器類本体１に取り付けることができ、データキャリア２を取り付けるために接着剤を用いる必要がなくなり、また収納用凹所１２に係合凹所１４を設けることも不要になるものである。
【００１９】
図７はメラミン樹脂で成形した食器類本体１の下面に露出するように収納用凹所１２にはめ込んで、データキャリア２を取り付けるようにした場合に、データキャリア２を保護するための方法を示すものであり、図７（ａ）の参考例では、メラミン樹脂含浸紙で作成されるフォイル４０をデータキャリア２を覆うように食器類本体１の下面に成形して貼ることによって、データキャリア２を保護するようにしてある。フォイル４０の下面にはさらにメラミン樹脂の粉末からなる樹脂被覆層４１を成形することもできる。図７（ｂ）の参考例では、データキャリア２を覆うように食器類本体１の下面にインモールドコーティング（ＩＭＣ）によって樹脂の保護層４２をコートすることによって、データキャリア２を保護するようにしてある。
【００２０】
上記のようにして食器類本体１の下面にデータキャリア２を付設した食器類Ａは、社員食堂や学校食堂などの食堂で用いられるものであり、御飯やパン等の主食、各種の惣菜などの副食、ジュースやコーヒー等の飲料物をそれぞれ個々の食器類Ａに盛り、これらをそれぞれ棚などに並べておき、そして各人が好みの主食や副食、飲料物を盛った食器類Ａを選んでプラスチック製のトレーの上に載せて取るようにしてある。そして食事が終わった食器類Ａは、自動食器洗い装置で洗浄処理された後、収納棚５１に収めるために移送する過程で、移送過程中に設けられた質問器の指定された範囲に置くか、この範囲の近傍を通過させると、質問器のアンテナもしくはリーダライタヘッドから信号が発信され、各食器類Ａのデータキャリア２の共振回路が共振して信号を発信し、この信号は質問器のアンテナもしくはリーダライタヘッドで受信され、各食器類Ａの種類を読み取って識別することができる。このようにして読み取られたデータに基づいてハンドリング装置が制御され、ハンドリング装置によって食器類Ａを種類毎に仕分けて収納棚５１の所定の棚５１ａに収納するようになっている。このようにして、使用済みの食器類Ａは、自動食器洗い器で洗浄した後、食器類Ａに取り付けたデータキャリア２のデータによって種類を自動的に識別し、図８のように収納棚５１の各棚５１ａに仕分けて収納することができるものである。
【図面の簡単な説明】
【００２１】
【図１】本発明の一実施例を示すものであり、（ａ）は断面図、（ｂ）は一部の拡大底面図、（ｃ）はデータキャリアの拡大断面図、（ｄ）はデータキャリアの拡大底面図である。
【図２】本発明の一参考例を示す断面図である。
【図３】本発明の他の参考例を示す断面図である。
【図４】本発明のさらに他の参考例を示す断面図である。
【図５】本発明のさらに他の参考例を示すものであり、（ａ）は断面図、（ｂ）はデータキャリアの拡大断面図である。
【図６】本発明のさらに他の参考例を示すものであり、（ａ）は断面図、（ｂ）はデータキャリアの拡大断面図である。
【図７】本発明のさらに他の参考例を示すものであり、（ａ），（ｂ）はそれぞれ断面図である。
【図８】食堂の食器類の収納棚を示す斜視図である。
【符号の説明】
【００２２】
１  食器類本体
２  データキャリア
１２  収納用凹所
１４  係合凹所
１５  係合突部
３０  樹脂被覆層
３６  囲い壁
３７  連通溝
【図１】
2005103313.tif 000003
【図２】
2005103313.tif 000004
【図３】
2005103313.tif 000005
【図４】
2005103313.tif 000006
【図５】
2005103313.tif 000007
【図６】
2005103313.tif 000008
【図７】
2005103313.tif 000009
【図８】
2005103313.tif 000010